(57)【特許請求の範囲】
【請求項１】
受信信号に含まれるミッドアンブルとベーシックミッドアンブルを所定量巡回させてなるミッドアンブル系列との相関演算を行う相関演算手段と、相関演算の演算結果に基づいてユーザ毎の遅延プロファイルを作成する遅延プロファイル作成手段と、遅延プロファイルにおいてしきい値を超えるピークをパスとして選択するパス選択手段と、各ユーザの直後の巡回量のミッドアンブルを用いている他のユーザの前記遅延プロファイルの先頭から所定サンプル数内に前記選択したパスが存在するか否かに基づいて、前記各ユーザの遅延プロファイルにおける最後の所定サンプル数内に存在したパスを選択から除外する無効パス判定手段と、前記無効パス判定手段にて残されたパスを用いてユーザ毎に受信信号を復調する復調手段と、を具備することを特徴とする受信装置。
【請求項２】
ユーザ毎の遅延プロファイルに基づいて通信中であるか否かをユーザ毎に判定するユーザ判定手段を有し、前記無効パス判定手段は、前記ユーザ判定手段により通信中でないと判定されたユーザの直前の巡回量のミッドアンブルを用いているユーザにおいて、前記パス選択手段により選択された全てのパスを残すことを特徴とする請求項１記載の受信装置。
【請求項３】
前記無効パス判定手段は、遅延プロファイルの先頭から所定サンプル数内に選択したパスが存在しないユーザの直前の巡回量のミッドアンブルを用いているユーザにおいて、前記パス選択手段により選択された全てのパスを残すことを特徴とする請求項１または請求項２記載の受信装置。
【請求項４】
前記復調手段は、前記無効パス判定手段にて残されたパスに基づいて各ユーザの受信信号をレイク合成するとともに、前記レイク合成した受信信号及び無効パス判定手段にて残されたパスを用いてＪＤ復調することを特徴とする請求項１から請求項３のいずれかに記載の受信装置。
【請求項５】
請求項１から請求項４のいずれかに記載の受信装置を具備することを特徴とする通信端末装置。
【請求項６】
請求項１から請求項４のいずれかに記載の受信装置を具備することを特徴とする基地局装置。
【請求項７】
受信信号に含まれるミッドアンブルとベーシックミッドアンブルを所定量巡回させてなるミッドアンブル系列との相関演算を行う相関演算工程と、相関演算の演算結果に基づいてユーザ毎の連続した遅延プロファイルを作成する遅延プロファイル作成工程と、遅延プロファイルにおいてしきい値を超えるピークをパスとして選択するパス選択工程と、各ユーザの直後の巡回量のミッドアンブルを用いている他のユーザの前記遅延プロファイルの先頭から所定サンプル数内に前記選択したパスが存在するか否かに基づいて、前記各ユーザの遅延プロファイルにおける最後の所定サンプル数内に存在したパスを選択から除外する無効パス判定工程と、残されたパスを用いてユーザ毎に受信信号を復調する復調工程と、を具備することを特徴とする受信方法。
【発明の詳細な説明】
【０００１】
【発明の属する技術分野】
本発明は、遅延波を合成して受信信号を復調する受信装置及び受信方法に関する。
【０００２】
【従来の技術】
ＩＭＴ２０００−ＴＤＤでは、タイムスロットの中央にパイロット系列であるミッドアンブルが挿入されている。このミッドアンブルは、送信側において１つのベーシックミッドアンブルコードを巡回させて作成される。
【０００３】
ミッドアンブルを作成する方法を、図１０を用いて説明する。ミッドアンブル１００１−１〜１００１−８は、１４４チップ長であり、１２８チップからなる２つの既知系列であるベーシックミッドアンブル１００２を組み合わせて、この範囲で１６チップ毎に巡回シフトさせて８ユーザ分（８種類）を作成する。そして、各ユーザ信号には、８種類のミッドアンブルのうちのどれかが割当てられて送信される。ユーザへのミッドアンブルの割当て方法としては、使用する拡散コードとミッドアンブルコードとの関係があらかじめ決められているDefault midamble割当て方式、ユーザ毎に個別のミッドアンブルコードが用いられるUser specific midamble割当て方式及び全てのユーザ共通のミッドアンブルコードが用いられるCommon midamble割当て方式の３つの方式がある。
【０００４】
受信側では、ミッドアンブル相関を取る際に、ベーシックミッドアンブルコードを１６チップ毎に巡回シフトさせながら相関演算を行い、この演算結果に基づいて、ミッドアンブル１００１−１からミッドアンブル１００１−８まで順番に連続した遅延プロファイルを作成していく。そして、作成した遅延プロファイルよりパスを選択し、選択したパスをレイク合成し、レイク合成結果及び遅延プロファイルを用いてＪＤ処理を行う。
【０００５】
このように、ユーザ毎に異なるコードのミッドアンブルから作成される遅延プロファイルは、ユーザ毎に連続した遅延プロファイルとして作成されるが、受信フィルタの特性により、後ろのユーザのピークが前のユーザの遅延プロファイルの後方に現れてしまうことがある。
【０００６】
【発明が解決しようとする課題】
しかしながら、従来の受信装置においては、他のユーザのピークが自分の遅延プロファイルの後方に現れている場合でも、自分のパスとみなしてパス選択をしてレイク合成及びＪＤ処理を行っていたため、特性劣化が生じるという問題がある。
【０００７】
本発明はかかる点に鑑みてなされたものであり、遅延プロファイルの後方に他のユーザのピークが現れている場合に、特性劣化を生じることなく受信信号を復調することができる受信装置及び受信方法を提供することを目的とする。
【０００８】
【課題を解決するための手段】
本発明の受信装置は、受信信号に含まれるミッドアンブルとベーシックミッドアンブルを所定量巡回させてなるミッドアンブル系列との相関演算を行う相関演算手段と、相関演算の演算結果に基づいてユーザ毎の遅延プロファイルを作成する遅延プロファイル作成手段と、遅延プロファイルにおいてしきい値を超えるピークをパスとして選択するパス選択手段と、各ユーザの直後の巡回量のミッドアンブルを用いている他のユーザの前記遅延プロファイルの先頭から所定サンプル数内に前記選択したパスが存在するか否かに基づいて、前記各ユーザの遅延プロファイルにおける最後の所定サンプル数内に存在したパスを選択から除外する無効パス判定手段と、前記無効パス判定手段にて残されたパスを用いてユーザ毎に受信信号を復調する復調手段と、を具備する構成を採る。
【０００９】
この構成によれば、ユーザ毎に作成した遅延プロファイルの最後の所定サンプル数内に存在するパスを選択から外し、残されたパスを用いて受信信号を復調するので、誤って他のユーザのパスを選択して復調することによる特性劣化を防ぐことができる。
【００１０】
本発明の受信装置は、ユーザ毎の遅延プロファイルに基づいて通信中であるか否かをユーザ毎に判定するユーザ判定手段を有し、前記無効パス判定手段は、前記ユーザ判定手段により通信中でないと判定されたユーザの直前の巡回量のミッドアンブルを用いているユーザにおいて、前記パス選択手段により選択された全てのパスを残す構成を採る。
【００１１】
この構成によれば、ユーザ毎に通信中であるか否かを判定し、この判定結果に基づいて、最後の所定サンプル数内のパスを復調する際にパスとして選択するか否かを判定し、自分のパスであると判定した場合はパス選択手段により選択した全てのパスを残すので、復調に使えるパスが増加して、受信信号の品質を向上させることができる。
【００１２】
本発明の受信装置における前記無効パス判定手段は、遅延プロファイルの先頭から所定サンプル数内に選択したパスが存在しないユーザの直前の巡回量のミッドアンブルを用いているユーザにおいて、前記パス選択手段により選択された全てのパスを残す構成を採る。
【００１３】
この構成によれば、遅延プロファイルの先頭から所定サンプル数内に選択したパスが存在しないユーザの直前に相関ピークが形成されるユーザは、選択した全てのパスを用いて復調するので、復調に使えるパスが増加して、受信信号の品質を向上させることができる。
【００１４】
本発明の受信装置は、前記復調手段は、前記無効パス判定手段にて残されたパスに基づいて各ユーザの受信信号をレイク合成するとともに、前記レイク合成した受信信号及び無効パス判定手段にて残されたパスを用いてＪＤ復調する構成を採る。
【００１５】
この構成によれば、特性劣化のないレイク合成した受信信号を用いてＪＤ復調するので、ＪＤ復調後も特性劣化のない受信信号を得ることができる。
【００１６】
本発明の通信端末装置は、上記のいずれかの受信装置を具備する構成を採る。また、本発明の基地局装置は、上記のいずれかの受信装置を具備する構成を採る。
【００１７】
これらの構成によれば、誤って他のユーザのパスを選択してレイク合成することによる特性劣化を防ぐことができる。
【００１８】
本発明の受信方法は、受信信号に含まれるミッドアンブルとベーシックミッドアンブルを所定量巡回させてなるミッドアンブル系列との相関演算を行う相関演算工程と、相関演算の演算結果に基づいてユーザ毎の連続した遅延プロファイルを作成する遅延プロファイル作成工程と、遅延プロファイルにおいてしきい値を超えるピークをパスとして選択するパス選択工程と、各ユーザの直後の巡回量のミッドアンブルを用いている他のユーザの前記遅延プロファイルの先頭から所定サンプル数内に前記選択したパスが存在するか否かに基づいて、前記各ユーザの遅延プロファイルにおける最後の所定サンプル数内に存在したパスを選択から除外する無効パス判定工程と、残されたパスを用いてユーザ毎に受信信号を復調する復調工程と、を具備することである。
【００１９】
この方法によれば、ユーザ毎に作成した遅延プロファイルの最後の所定サンプル数内に存在するパスを選択から外し、残されたパスを用いて受信信号を復調するので、誤って他のユーザのパスを選択して復調することによる特性劣化を防ぐことができる。
【００２０】
【発明の実施の形態】
本発明の骨子は、遅延プロファイルにおいて、最後の所定サンプル数内のパスは選択しないでレイク合成及びＪＤ処理を行って受信データを得ることである。また、遅延プロファイルよりユーザ毎に通信中であるか否かを判定し、通信中でなければ、通信中でないユーザの遅延プロファイルの直前に作成されている他のユーザの遅延プロファイルにおいて、最後の所定サンプル数内に存在するパスを含む全ての選択したパスを用いて、レイク合成及びＪＤ処理を行って他のユーザの受信データを得ることである。
【００２１】
以下、本発明の実施の形態について、図面を参照して詳細に説明する。
【００２２】
（実施の形態１）
図１は、本実施の形態に係る受信装置の構成を示す図であり、図２から図５は、本実施の形態に係る受信装置において作成したユーザ毎の遅延プロファイルである。本実施の形態の受信装置は、アンテナ１０１、無線受信部１０２、相関処理部１０３、遅延プロファイル作成部１０４、ミッドアンブルシフト判定部１０５、パス選択部１０６、無効パス判定部１０７、ＪＤ演算部１０８及び逆拡散・レイク合成部１０９とから主に構成される。
【００２３】
無線受信部１０２は、アンテナ１０１で受信された信号に対して、ダウンコンバート等の所定の無線処理を行い、相関処理部１０３及び逆拡散・レイク合成部１０９へ出力する。相関演算手段である相関処理部１０３は、無線受信部１０２から出力された受信信号に含まれるミッドアンブルと呼ばれるパイロット信号部と既知のベーシックミッドアンブルを所定量巡回させたミッドアンブル系列との相関演算を行い、遅延プロファイル作成部１０４へ出力する。
【００２４】
遅延プロファイル作成部１０４は、図２から図５に示すように、相関処理部１０３から出力された信号の遅延プロファイルをユーザ毎に作成し、ミッドアンブルシフト判定部１０５へ出力する。ここで、ユーザ１は、ユーザ２の直前の巡回量のミッドアンブルを用いているユーザであり、ユーザ２は、ユーザ３の直前の巡回量のミッドアンブルを用いているユーザであり、ユーザ３からユーザ７までも同様である。そして、ユーザ８は、ユーザ１の直前の巡回量のミッドアンブルを用いているユーザである。なお、本実施の形態におけるユーザ５からユーザ８は通信を行っていないため、遅延プロファイルは図２から図５の４種類しか記載していないが、実際には遅延プロファイル作成部１０４は、８人のユーザの８種類のミッドアンブルに基づいて、ミッドアンブル１００１−１からミッドアンブル１００１−８までのユーザ毎に、前方から後方へ順番に８種類の連続した遅延プロファイルを作成する。
【００２５】
ユーザ判定手段であるミッドアンブルシフト判定部１０５は、遅延プロファイル作成部１０４で作成した遅延プロファイルが、あらかじめ設定した電力値のしきい値を超えているか否かをユーザ毎に判定し、判定結果を無効パス判定部１０７へ出力する。この判定は、各ユーザにおいて、電力値０．０５をしきい値２０１、３０１、４０１、５０１として、このしきい値を超えるピークが存在する遅延プロファイルを有するユーザが、現在通信を行っているユーザであると判定する。なお、しきい値の値は、適宜変更できる。ユーザ１は、しきい値を超えるピーク２０２、２０３、２０４があるため、現在通信中であると判定される。ユーザ２は、しきい値を超えるピーク３０２、３０３、３０４があるため、現在通信中であると判定される。ユーザ３は、しきい値を超えるピーク４０２があるため、現在通信中であると判定される。ユーザ４は、しきい値を超えるピークが存在しないため、現在通信を行っていないものと判定される。
【００２６】
パス選択部１０６は、各ユーザの遅延プロファイルを用いて、あらかじめ設定したしきい値を超えるピークをパスとして選択し、選択したパスを無効パス判定部１０７へ出力する。ユーザ１は、しきい値２０１を超えるパス２０２、２０３、２０４を選択し、ユーザ２は、しきい値３０１を超えるパス３０２、３０３、３０４を選択し、ユーザ３は、しきい値４０１を超えるパス４０２を選択し、ユーザ４は、しきい値５０１を超えるパスが存在しないためにパス選択は行わない。なお、パス選択の際に用いるしきい値は、ミッドアンブルシフト判定部１０５で用いたしきい値と異なるしきい値を使っても良い。パス選択部１０６におけるしきい値の設定は、ユーザ毎にピークの電力値に所定の定数を乗算することによってユーザ毎に設定する方法、雑音レベルに定数を乗算して求めた値をしきい値に設定する方法及び１人のユーザについて求めたしきい値を、全てのユーザで共通のしきい値とする方法等の任意の方法が適用できる。
【００２７】
無効パス判定部１０７は、ミッドアンブルシフト判定部１０５から入力するユーザ情報及び遅延プロファイルの先頭から１０サンプル内に選択したパスが存在するか否かの情報に基づいて、遅延プロファイルにおける最後の８サンプル内に選択したパスがあれば、そのパスを選択から除外するか否かを判定する。なお、図２から図５に示すように、遅延プロファイル上の１つの黒丸が１サンプルであり、所定の周期でサンプリングされている。ユーザ１においては、ユーザ２が通信を行っており、かつユーザ２の遅延プロファイルの先頭から１０サンプル内に選択したパス３０２が存在するため、最後の８サンプル内の選択したパス２０４を選択から除外する。また、ユーザ３の直前に相関ピークが形成されるユーザ２においては、ユーザ３は通信を行っているが、ユーザ３の遅延プロファイルの先頭から１０サンプル内に選択したパスが存在しないため、最後の８サンプル内の選択したパス３０４は除外せずにそのまま残しておく。また、ユーザ４の直前に相関ピークが形成されるユーザ３においては、ユーザ４が通信を行っていないため、ユーザ４の遅延プロファイルの先頭から１０サンプル内に選択したパスがあるか否かを判定することなしに、最後の８サンプル内の選択したパスは除外せずにそのまま残しておく。ただし、ユーザ３は、最後の８サンプル内には閾値を超える有効パスがないため、最後の８サンプルからのパスの選択は行わない。このようにして選択したパスをＪＤ演算部１０８及び逆拡散・レイク合成部１０９へ出力する。
【００２８】
なお、ユーザ４の遅延プロファイルにおける最後の８サンプル分にピークがある場合に、そのピークをユーザ４のパスとして選択するか否かは、ユーザ５の遅延プロファイルに基づくユーザ情報より判定する。そして、ユーザ５からユーザ８までは同様に判定し、ユーザ８まで判定が終了すると次はユーザ１が通信中か否かを判定し、ユーザ１が通信中であると判定されるとユーザ８の最後の８サンプル内にあるピークは、ユーザ８のパスとしては選択しない。
【００２９】
復調手段であるＪＤ演算部１０８は、逆拡散・レイク合成部１０９でレイク合成された受信信号、および遅延プロファイル作成部１０４で作成された遅延プロファイルに基づいて、１タイムスロットに渡って受信信号にＪＤ演算処理を行い、図に記載のない復号部へ出力して受信データが得られる。ここで、ＪＤ演算とは、例えば特願２００１−１５６６２５に記載されているような演算方法である。復調手段である逆拡散・レイク合成部１０９は、無効パス判定部１０７から入力する選択したパス情報及び無線受信部１０２から入力する受信信号を用いて、逆拡散およびレイク合成し、ＪＤ演算部１０８へ出力する。ユーザ１は、選択したパス２０２、２０３を用いてレイク合成を行う。ユーザ２は、選択したパス３０２、３０３、３０４を用いてレイク合成を行う。ユーザ３は、選択したパス４０２を用いてレイク合成を行う。
【００３０】
次に、本実施の形態における受信装置の動作について、図６及び図７のフロー図を用いて説明する。アンテナ１０１にて受信した受信信号は、相関処理部１０３で相関演算され、相関演算された受信信号より遅延プロファイル作成部１０４にて遅延プロファイルが作成される（ステップ（以下「ＳＴ」と記載する）６０１）。次に、ミッドアンブルシフト作成部１０５は、ミッドアンブルのシフト判定を行い（ＳＴ６０２）、判定結果を無効パス判定部１０７に出力するとともに、パス選択部１０６へ出力する。次に、パス選択部１０６は、遅延プロファイルよりしきい値を超えるピークをパスとして選択し（ＳＴ６０３）、選択したパス情報を無効パス判定部１０７へ出力する。
【００３１】
無効パス判定部１０７は、ミッドアンブルｋに１を設定し（ＳＴ６０４）、ミッドアンブルシフト判定部１０５から入力する現在通信を行っているユーザの情報より、ミッドアンブルｋ＋１を使用しているユーザが現在通信中であるか否かを判定する（ＳＴ６０５）。なお、例えばミッドアンブルｋは、図１０においてミッドアンブル１００１−２とすると、ミッドアンブルｋ＋１はミッドアンブル１００１−３になる。即ち、ミッドアンブルｋとミッドアンブルｋ＋１は、図１０に示すように、１６チップだけシフトした関係にあるミッドアンブルのことである。ミッドアンブルｋ＋１のユーザが通信を行っている場合は、ミッドアンブルｋ＋１のユーザの遅延プロファイルの先頭から１０サンプル内に、ミッドアンブルｋ＋１のユーザが選択したパスがあるか否かを判定する（ＳＴ６０６）。一方、ＳＴ６０５において、ミッドアンブルｋ＋１を使用しているユーザが通信を行っていない場合は、最後の８サンプル内に存在するパスを残す。ＳＴ６０６において、ミッドアンブルｋ＋１のユーザの遅延プロファイルの先頭から１０サンプル内に選択したパスがある場合は、最後の８サンプル内に存在したパスを選択から外す（ＳＴ６０７）。一方、ＳＴ６０６において、ミッドアンブルｋ＋１のユーザの遅延プロファイルの先頭から１０サンプル内に選択したパスがない場合は、最後の８サンプル内に存在したパスの選択は除外せずにそのまま残しておく。
【００３２】
次に、ｋ＝４であるか否かを判定する（ＳＴ６０８）。ｋ＝４でなければ、ｋの値に１を加算し（ＳＴ６０９）、ｋ＝４であれば、ミッドアンブル１のユーザが現在通信中であるか否かを判定する（ＳＴ６１０）。ミッドアンブル１のユーザが現在通信中を行っている場合は、ミッドアンブル１のユーザの遅延プロファイルの先頭から１０サンプル内に、ミッドアンブル１のユーザが選択したパスがあるか否かを判定する（ＳＴ６１１）。一方、ＳＴ６１０において、ミッドアンブル１のユーザが現在通信を行っていない場合は、最後の８サンプル内に存在するパスを残す。ＳＴ６１１において、ミッドアンブル１のユーザの遅延プロファイルの先頭から１０サンプル内に選択したパスがある場合は、最後の８サンプル内に存在したパスを選択から外す（ＳＴ６１２）。一方、ＳＴ６１１において、ミッドアンブル１のユーザの遅延プロファイルの先頭から１０サンプル内に選択したパスがない場合は、最後の８サンプル内に存在したパスの選択は除外せずにそのまま残しておく。次に、ＪＤ演算部１０８において、選択したパスを用いて、ユーザ毎にＪＤ処理を行い（ＳＴ６１３）、これを復号して受信データを得る。
【００３３】
このように、本実施の形態の受信装置によれば、ミッドアンブルシフト判定部１０５は、１６チップシフトしたミッドアンブルを使用しているユーザが通信中であるか否かを判定し、１６チップシフトしたミッドアンブルを使用しているユーザが通信中であれば最後の８サンプル内に存在するパスを外すので、誤って他のユーザのパスを選択してレイク合成及びＪＤ演算することによる特性劣化を防ぐことができる。また、１６チップシフトしたミッドアンブルを使用しているユーザが通信中でなければ、最後の８サンプル内に存在するパスも自分のパスとみなすことができるので、これをレイク合成することにより、品質の高い受信データを得ることができる。
【００３４】
なお、本実施の形態においては、ユーザ３の遅延プロファイルの先頭から１０サンプル内にパスが存在するか否かを判定することとしたが、パスが存在するか否かを判定するサンプル数は、１０サンプル以外の任意のサンプル数にできる。また、ユーザ２とユーザ３以外のユーザについても、連続して遅延プロファイルが作成されているユーザ同士であれば、適用可能である。
【００３５】
（実施の形態２）
図８は、本実施の形態２に係る受信装置の構成を示す図である。本実施の形態においては、図７においてミッドアンブル判定部１０５を設けない構成が図１の構成と相違しており、その他は図１と同一構成であるので、同一の符号を付してその説明を省略する。
【００３６】
無効パス判定部１０７は、パス選択部１０６から入力する選択したパスの中から、最後の８サンプル内に選択したパスが存在する場合は、全て選択しない。したがって、全てのユーザの遅延プロファイルにおける最後の８サンプル内のパスを除いて選択したパス情報が、逆拡散・レイク合成部１０９及びＪＤ演算部１０８へ出力される。
【００３７】
次に、本実施の形態における受信装置の動作について、図９のフロー図を用いて説明する。アンテナ１０１にて受信した受信信号は、相関処理部１０３で相関演算され、相関演算された受信信号より遅延プロファイル作成部１０４にて遅延プロファイルが作成される（ＳＴ９０１）。次に、パス選択部１０６は、遅延プロファイルよりしきい値を超えるピークをパスとして選択し（ＳＴ９０２）、選択したパス情報を無効パス判定部１０７へ出力する。無効パス判定部１０７は、ミッドアンブルｋに１を設定し（ＳＴ９０３）、最後の８サンプル分のサンプル内に選択したパスがある場合は、そのパスの選択はやめる（ＳＴ９０４）。次に、ｋ＝５であるか否かを判定する（ＳＴ９０５）。ｋ＝５であれば、選択したパスを用いて、ユーザ毎にＪＤ演算部１０８においてＪＤ処理を行い（ＳＴ９０７）、これを復号して受信データを得る。一方、ＳＴ９０５において、ｋ＝５ではない場合は、ｋの値に１を加算する（ＳＴ９０６）。
【００３８】
このように、本実施の形態の受信装置によれば、１６チップシフトしたミッドアンブルを使用しているユーザが現在通信中であるか否かに関わりなく、一律に最後の８サンプル内に選択したパスが存在する場合は、選択をやめるので、隣のミッドアンブルシフトを使用しているユーザが現在通信中であるか否かを判定するための回路が不要になって、回路構成が簡素化され、装置が小型化できる。また、最後の８サンプル内に選択したパスが存在する場合は、そのパスを除いたパスを用いてレイク合成するので、誤って他のユーザのパスを選択してレイク合成及びＪＤ演算することによる特性劣化を防ぐことができる。
【００３９】
なお、上記実施の形態１及び実施の形態２においては、選択しないパスがあるか否かを判定するサンプル数を最後の８サンプルとしたが、選択しないパスがあるか否かを判定するサンプル数は任意に設定できる。また、上記実施の形態１及び実施の形態２においては、ミッドアンブルは１６チップシフトさせながら作成されるものを使用したが、前後のユーザの遅延波を誤って選択しない範囲であれば、１６チップ以外のチップ数でシフトさせながら作成したミッドアンブルを用いても同様の効果が得られる。また、復調方法としてＪＤ復調以外の復調方法を用いても良い。
【００４０】
【発明の効果】
以上説明したように、本発明によれば、遅延プロファイルの最後にパスが存在しないにも関わらず他のユーザのピークが現れている場合に、特性劣化を生じることなく受信信号を復調することができる。
【図面の簡単な説明】
【図１】本発明の実施の形態１に係る受信装置を示すブロック図
【図２】本発明の実施の形態１に係る受信装置におけるユーザ１の遅延プロファイル
【図３】本発明の実施の形態１に係る受信装置におけるユーザ２の遅延プロファイル
【図４】本発明の実施の形態１に係る受信装置におけるユーザ３の遅延プロファイル
【図５】本発明の実施の形態１に係る受信装置におけるユーザ４の遅延プロファイル
【図６】本発明の実施の形態１に係る受信装置の動作を示すフロー図
【図７】本発明の実施の形態１に係る受信装置の動作を示すフロー図
【図８】本発明の実施の形態２に係る受信装置の構成を示すブロック図
【図９】本発明の実施の形態２に係る受信装置の動作を示すフロー図
【図１０】ミッドアンブルの作成方法を示す図
【符号の説明】
１０４  遅延プロファイル作成部
１０５  ミッドアンブルシフト判定部
１０６  パス選択部
１０７  無効パス判定部
１０８  ＪＤ演算部
１０９  逆拡散・レイク合成部
【図１】
0003843244.tif 000002
【図２】
0003843244.tif 000003
【図３】
0003843244.tif 000004
【図４】
0003843244.tif 000005
【図５】
0003843244.tif 000006
【図６】
0003843244.tif 000007
【図７】
0003843244.tif 000008
【図８】
0003843244.tif 000009
【図９】
0003843244.tif 000010
【図１０】
0003843244.tif 000011